(57)【要約】【課題】本発明は、複数個搬送されるＲＦＩＤタグの個々のものにデータを書込むＲＦＩＤタグ書込み装置に関するものであって、複数のＲＦＩＤタグが隣接配置されている場合であっても、個々のＲＦＩＤタグに対して正確にデータを書込むことを目的とする。【解決手段】ＲＦＩＤタグ書込み装置７は、ＲＦＩＤタグ２に対してタグ情報のデータを書込むものであって、隣接配置された複数のＲＦＩＤタグ２を所定の書込み位置に搬送する搬送部と、複数のＲＦＩＤタグ２に無変調の搬送波を発信するアンテナ装置３０と、所定の書込み位置に搬送されたＲＦＩＤタグ２のタグアンテナに電気的に接触する接触部１１と、接触部１１により接触されたＲＦＩＤタグ２に対して、接触部１１を介してデータの書込みを制御する書込み制御部１３とを備えている。【選択図】図３
2009276877.tif 000002
【特許請求の範囲】
【請求項１】
タグ情報を記憶保持するタグＩＣチップと、前記タグＩＣチップに電気的に接続され無線信号を受信するとともに受信した受信信号により電力を生成するタグアンテナとを有するＲＦＩＤタグに対して前記タグ情報のデータを書込むＲＦＩＤタグ書込み装置であって、
隣接配置された複数のＲＦＩＤタグを所定の書込み位置に搬送する搬送部と、
前記複数のＲＦＩＤタグに無変調の前記無線信号を発信するアンテナと、
前記所定の書込み位置に搬送されたＲＦＩＤタグのタグアンテナに電気的に接触する接触部と、
前記接触部により接触されたＲＦＩＤタグに対して、前記接触部を介して前記データの書込みを制御する書込み制御部とを備えていることを特徴とするＲＦＩＤタグ書込み装置。
【請求項２】
前記搬送部は、複数のＲＦＩＤタグを隣接配置した帯状搬送体を搬送する構成としたことを特徴とする請求項１に記載のＲＦＩＤタグ書込み装置。
【請求項３】
前記書込み制御部は、データ書込み用のコマンドに基づいて前記ＲＦＩＤタグのタグアンテナを制御することを特徴とする請求項１または請求項２に記載のＲＦＩＤタグ書込み装置。
【請求項４】
前記書込み制御部は、前記データ書込み用のコマンドに応じて前記タグアンテナを接地または非接地に制御することを特徴とする請求項３に記載のＲＦＩＤタグ書込み装置。
【請求項５】
前記接触部を２個設け、これらの接触部それぞれを前記ＲＦＩＤタグに設けられた一対のタグアンテナの両方に接触させ、
前記書込み制御部は、前記データ書込み用のコマンドに応じて前記一対のタグアンテナを接地または非接地に制御することを特徴とする請求項４に記載のＲＦＩＤタグ書込み装置。
【請求項６】
前記接触部を２個設け、これらの接触部それぞれを前記ＲＦＩＤタグに設けられた一対のタグアンテナの両方に接触させ、
前記書込み制御部は、前記データ書込み用のコマンドに応じて前記一対のタグアンテナを短絡または非短絡に制御することを特徴とする請求項３に記載のＲＦＩＤタグ書込み装置。
【請求項７】
前記ＲＦＩＤタグは外装部により内包されているものであって、
前記外装部は露出部を有し、この露出部を介して前記接触部と前記ＲＦＩＤタグのタグアンテナとが接触していることを特徴とする請求項１から請求項６のいずれか１項に記載のＲＦＩＤタグ書込み装置。
【発明の詳細な説明】
【技術分野】
【０００１】
本発明は、複数個搬送されるＲＦＩＤタグの個々のものにデータを書込むＲＦＩＤタグ書込み装置に関する。
【背景技術】
【０００２】
最近、物流、商品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。例えば、配送ラベルにＲＦＩＤタグを備えているＲＦＩＤタグ付きラベルを商品に貼付し、このＲＦＩＤタグ付きラベルのタグ情報を使って商品を自動的に仕分けしていた。
【０００３】
このような中で、ＲＦＩＤタグ付きラベルを量産するためのＲＦＩＤタグ書込み技術が提案されている。例えば、従来のＲＦＩＤタグ書込み装置は、帯状の印刷面を有する搬送体に複数のＲＦＩＤタグが取り付けられているものをロール状に巻き取って用意しておき、この搬送体上のＲＦＩＤタグを搬送部により書込み位置に搬送していた。書込み位置にはアンテナが設けられており、このアンテナからＲＦＩＤタグに対して書込みデータを電波により発射していた（例えば、特許文献１参照）。
【０００４】
なお、従来のＲＦＩＤタグ書込み装置は、上記した搬送体の印刷面にバーコードなどの印字を施す印字ヘッドと、この印字ヘッドに印刷面を密着させるためのプラテンローラとを備え、これらがキャビネット内に設けられていた。
【特許文献１】特開２００６−３３８１７９号公報
【発明の開示】
【発明が解決しようとする課題】
【０００５】
従来のＲＦＩＤタグ書込み装置は、アンテナを介して搬送体上のＲＦＩＤタグに対して電波により電力およびデータを送信していた。これにより、ＲＦＩＤタグのタグアンテナでこの電波を受信して電力を得るとともに、この電力によりタグアンテナに接続されているタグＩＣチップを起動してデータを取り込み、タグＩＣチップ内のメモリにデータの書込みがなされていた。このため、アンテナから出力される電波が目的の１個のＲＦＩＤタグのみならず、近くにある他のＲＦＩＤタグにも届いて受信されてしまい、データの誤書込みが行われるという課題があった。
【０００６】
そこで本発明は、複数のＲＦＩＤタグが隣接配置されている場合であっても、個々のＲＦＩＤタグに対して正確にデータを書込むことを目的とする。
【課題を解決するための手段】
【０００７】
本発明のＲＦＩＤタグ書込み装置は、タグ情報を記憶保持するタグＩＣチップと、このタグＩＣチップに電気的に接続され無線信号を受信するとともに受信した受信信号により電力を生成するタグアンテナとを有するＲＦＩＤタグに対してタグ情報のデータを書込むＲＦＩＤタグ書込み装置であって、隣接配置された複数のＲＦＩＤタグを所定の書込み位置に搬送する搬送部と、複数のＲＦＩＤタグに無変調の無線信号を発信するアンテナと、所定の書込み位置に搬送されたＲＦＩＤタグのタグアンテナに電気的に接触する接触部と、接触部により接触されたＲＦＩＤタグに対して、接触部を介してデータの書込みを制御する書込み制御部とを備えていることを特徴とする。このような構成により、所期の目的を達成するものである。
【発明の効果】
【０００８】
以上のように本発明のＲＦＩＤタグ書込み装置は、アンテナにより隣接配置された複数のＲＦＩＤタグに向けて無変調の無線信号を発射しながら電力を供給でき、書込み制御部は接触部により接触されたＲＦＩＤタグに対して接触部を介してデータの書込みを制御することができる。これにより、近くにある他のＲＦＩＤタグに誤ってデータを書込むことがない。したがって、複数のＲＦＩＤタグが隣接配置されている場合であっても、個々のＲＦＩＤタグに対して正確にデータを書込むことができる。
【発明を実施するための最良の形態】
【０００９】
以下、本発明の実施の形態について、図面を用いて詳細に説明する。
【００１０】
（実施の形態）
まず、図１を参照しながら、本発明の実施の形態において用いられるＲＦＩＤタグ付きラベル１について説明する。図１は、本発明の実施の形態におけるＲＦＩＤタグ付きラベル１の外観図である。
【００１１】
図１に示すように、ＲＦＩＤタグ付きラベル１は、帯状（テープ状）の搬送体１ａに複数個のＲＦＩＤタグ２が接着され、ロール状にして供給される。所定のデータ書込みおよび印刷がなされた後、破線で示した切断部１ｂの位置で１個ずつに切断され、個々のＲＦＩＤタグ付きラベル１として使用される。ＲＦＩＤタグ２は、後述するように、搬送体１ａの外装部１ｃに内包されている。
【００１２】
図２は本発明の実施の形態におけるＲＦＩＤタグ付きラベル１の構成図であり、図２（ａ）はＲＦＩＤタグ付きラベル１の下面図、図２（ｂ）はＲＦＩＤタグ付きラベル１の断面図である。
【００１３】
ＲＦＩＤタグ付きラベル１は、図２（ａ）に示すように、タグ情報を記憶保持するタグＩＣチップ４と、このタグＩＣチップ４に電気的に接続され無線信号を受信するとともに受信した受信信号により電力を生成するタグアンテナ５と、薄いフィルムなどの樹脂製の基板３とを備え、タグＩＣチップ４とタグアンテナ５が基板３の表面に形成されている。タグアンテナ５は、タグＩＣチップ４の両端に一対のタグアンテナ部５ａ、５ｂを有している。
【００１４】
ＲＦＩＤタグ２は、図２（ｂ）に示すように、樹脂製の外装部１ｃにより内包されている。そして、外装部１ｃは露出部６を有し、この露出部６を介して外側からタグアンテナ部５ａ、５ｂに接触することができる。すなわち、タグアンテナ部５ａ、５ｂは、露出部６を介して外装部１ｃから露出している。なお、タグアンテナ部５ａ、５ｂの一部を露出部６で露出させるようにしたが、タグアンテナ部５ａ、５ｂの全体を露出させてもよい。この場合には、露出部６はなくてもよい。
【００１５】
図３は本発明の実施の形態におけるＲＦＩＤタグ書込み装置７を説明するための要部構成図であり、このＲＦＩＤタグ書込み装置７によりＲＦＩＤタグ付きラベル１に所定のデータを書込む。このＲＦＩＤタグ書込み装置７の構成について説明する。
【００１６】
ＲＦＩＤタグ書込み装置７では、図１で示したようなＲＦＩＤタグ付きラベル１がロール状に巻かれ、プラテンローラ８、ガイドローラ９などの搬送部により、搬送体１ａに接着されているＲＦＩＤタグ２が所定の書込み位置に搬送される。
【００１７】
また、ＲＦＩＤタグ書込み装置７は、搬送体１ａ上の複数のＲＦＩＤタグ２に対して無変調の連続した搬送波（無線信号）を供給するアンテナ装置３０と、ＲＦＩＤタグ２のタグアンテナ５に接触する接触部１１と、接触部１１を介してＲＦＩＤタグ２にデータの書込みを行う書込み制御部１３とを備え、これらがキャビネット１６に収められている。
【００１８】
アンテナ装置３０は、アンテナ１０とリーダライタ部１２とを備えている。リーダライタ部１２は、所定の書込み位置の近傍に設けられたアンテナ１０に無変調の連続した搬送波を供給する。また、リーダライタ部１２は、書込み制御部１３に対してＲＦＩＤタグ２に所定のデータを含む書込み制御コマンドを出力する。
【００１９】
接触部１１は、例えば金属の板バネで形成されている。接触部１１は略Ｊ字の形状に形成され、先端部に丸みを有している。そして、接触部１１は所定の書込み位置に搬送されたＲＦＩＤタグ２に対して、露出部６を介してタグアンテナ５に先端部を接触する。このように、先端部を丸くすることで、タグアンテナ５への損傷を防止している。
【００２０】
書込み制御部１３は、ＲＦＩＤタグ２に対して所定のデータを書込むための制御がなされる。書込み制御部１３は接触部１１に書込み制御信号を出力し、接触部１１を介してデータの書込みを行う。この書込み制御部１３の詳細については後述する。
【００２１】
また、ＲＦＩＤタグ書込み装置７は、ＲＦＩＤタグ付きラベル１の印刷面に商品名、製造日などの所定の表示や、この所定の表示をコード化したバーコードなどを印字する印字ヘッド１４と、印字が完了したＲＦＩＤタグ付きラベル１を１個ずつのＲＦＩＤタグ付きラベル１に切り離すカッター１５とを備え、これらがキャビネット１６に収められている。カッター１５は、ＲＦＩＤタグ付きラベル１を切断部１ｂの箇所で切断する。
【００２２】
次に、図４を参照しながら、ＲＦＩＤタグ書込み装置７の回路構成について説明する。図４は本発明の実施の形態におけるＲＦＩＤタグ書込み装置７の回路ブロック図である。
【００２３】
図４に示すように、ＲＦＩＤタグ書込み装置７は、複数のＲＦＩＤタグ２に無変調の搬送波を発信するアンテナ装置３０と、所定の書込み位置に搬送されたＲＦＩＤタグ２のタグアンテナ５に電気的に接触する接触部１１と、接触部１１により接触されたＲＦＩＤタグ２に対して、接触部１１を介してデータの書込みを制御する書込み制御部１３とを備えている。
【００２４】
アンテナ装置３０は、アンテナ１０と、このアンテナ１０を介して無変調の搬送波を出力するリーダライタ部１２とを備えている。そして、リーダライタ部１２はデータを含む書込み制御コマンド２２ａを書込み制御部１３に出力する。
【００２５】
書込み制御部１３は、接触部１１に書込み制御信号３１を出力し、接触部１１を介してＲＦＩＤタグ２に対してデータの書込みを行う。すなわち、書込み制御部１３は、書込み制御コマンド２２ａに基づいてＲＦＩＤタグ２のタグアンテナ５の電気的な特性を制御し、これによりデータの書込みを行う。
【００２６】
ＲＦＩＤタグ２は、タグアンテナ５で受信した受信信号から電力を生成し、電源部１９に蓄積される。そして、この電力を用いてタグアンテナ５に接続されているタグＩＣチップ４が起動され、データを取り込む。タグＩＣチップ４内のＲＦフロントエンド部１７で受信信号を復調処理し、クロック部１８でクロック信号を生成する。さらに、制御部２０で受信信号を識別し、メモリ部２１にタグ情報のデータを記憶する。
【００２７】
ＲＦＩＤタグ２はこのようにタグ情報が書込まれた後、カッター１５により切断部１ｂの箇所で切断され、切断後にＲＦＩＤタグ付きラベル１として商品に貼付される。商品に貼付されたＲＦＩＤタグ付きラベル１は、例えば商品を仕分けするときにリーダライタ装置（図示せず）からの問い合わせ信号に応答してＲＦＩＤタグ２のタグ情報を返送する。応答時には、メモリ部２１からタグ情報（ＩＤなど）が読み出され、制御部２０で応答用の信号が作成されて、ＲＦフロントエンド部１７を介してタグアンテナ５から応答信号が送信される。
【００２８】
リーダライタ部１２は制御部２２を備え、制御部２２により個々のＲＦＩＤタグ２にタグ情報のデータを書込むための書込み制御コマンド２２ａが作成される。そして、信号処理部２３により所定の周波数で無変調の搬送波が生成され、ＲＦフロントエンド部２４、アンプ２５およびサーキュレータ２６を介してアンテナ１０に供給される。これにより、アンテナ１０からは連続した無変調の搬送波が発信される。この無変調の搬送波には、データおよび書込み書込み制御コマンド２２ａが含まれていないため、ＲＦＩＤタグ２でデータの書込み動作は行われない。
【００２９】
したがって、所定の書込み位置およびその手前の位置などの近傍にある複数のＲＦＩＤタグ２に対して事前に十分な無変調の搬送波を送ることができる。このため、ＲＦＩＤタグ２は無変調の搬送波をタグアンテナ５で受信することにより、データの書込み動作を行うことなく十分な電力を生成して蓄積することができ、タグＩＣチップ４に供給することができる。その結果、所定の書込み位置にあるＲＦＩＤタグ２は、データの書込みのための準備が万全なものとなる。
【００３０】
一方、制御部２２で生成された書込み制御コマンド２２ａおよびデータ（個別ＩＤデータなど）が書込み制御部１３に供給される。書込み制御部１３は、接触部１１を介して直接に個々のＲＦＩＤタグ２を制御する。
【００３１】
このように、ＲＦＩＤタグ書込み装置７は、アンテナ装置３０により複数のＲＦＩＤタグ２に向けて無変調の搬送波を発射しながら電力を供給でき、書込み制御部１３は接触部１１により接触されたＲＦＩＤタグ２に対して接触部１１を介してデータの書込みを制御することができる。これにより、近くにある他のＲＦＩＤタグ２に誤ってデータを書込むことがない。したがって、複数のＲＦＩＤタグ２が隣接している場合であっても、個々のＲＦＩＤタグ２に対して正確にデータを書込むことができる。
【００３２】
次に、図５を参照しながら、書込み制御部１３の動作について説明する。図５は本発明の実施の形態における書込み制御部１３を説明するための要部構成図であり、図５（ａ）は搬送体１ａに対して側方から見た断面図、図５（ｂ）は搬送体１ａの長さ方向から見た断面図である。
【００３３】
この実施例では、ＲＦＩＤタグ２が所定の書込み位置に搬送されてくると、１個の接触部１１が外装部１ｃの露出部６を通してＲＦＩＤタグ２のタグアンテナ５に接触する。この接触部１１は書込み制御部１３のスイッチング素子２７を介してグランドに接地される。すなわち、書込み制御部１３は、データを含む書込み制御コマンド２２ａに基づいてスイッチング素子２７をオン、オフさせ、これにより書込み制御信号３１を生成する。この書込み制御信号３１に従ってＲＦＩＤタグ２へデータが書込まれる。
【００３４】
図６は本発明の実施の形態における書込み制御部１３の動作を説明するための波形図である。この図６を用いて、書込み制御部１３によってＲＦＩＤタグ２にデータを書込むときの動作を説明する。
【００３５】
図６に示す信号ａはアンテナ１０から発信されている無変調の搬送波で、ＲＦＩＤタグ２は書込み時以前にはこの無変調の搬送波をタグアンテナ５で受信して、電源部１９で電力を作成する。このときには、無変調の搬送波はデータを含んでいないので、制御部２０は書込みデータを生成しない。
【００３６】
信号ｂは、ＲＦＩＤタグ２へのデータを含む書込み制御コマンド２２ａであり、Ｌレベルの間隔の広い”１”の信号と、Ｌレベルの間隔の狭い”０”の信号で構成されている。この信号ｂのレベルに従って、信号ｃのようにスイッチング素子２７が制御される。すなわち、書込み制御部１３は、信号ｂがＬレベルになる期間にスイッチング素子２７をオフ（ＯＦＦ）にし、Ｈレベルになる期間でスイッチング素子２７をオン（ＯＮ）となるように制御する。このスイッチング素子２７のＯＮ、ＯＦＦが書込み制御信号３１となる。
【００３７】
すると、スイッチング素子２７がオンの期間は接触部１１によってＲＦＩＤタグ２のタグアンテナ部５ａ、５ｂの一方の素子が接地されるので、タグアンテナ５がタグＩＣチップ４のインピーダンスに対して不整合（ミスマッチング）状態になり、タグアンテナ５からタグＩＣチップ４への受信信号の供給が阻止されて、信号ｄのように、データを含む書込み制御コマンド２２ａ（信号ｂ）に従ってあたかも変調されたような信号ｄ（断続受信信号）がタグＩＣチップ４に供給される。
【００３８】
このため、タグＩＣチップ４では通常の変調信号をＲＦフロントエンド部１７で受信した場合と同様に信号ｄ（断続受信信号）が復調処理（信号ｅ）され、制御部２０で識別してデータを取り出し、メモリ部２１にデータ（タグ情報）を書込むことができる。
【００３９】
しかも、このような書込み制御部１３による受信信号の制御は接触部１１が接触している１個のＲＦＩＤタグ２に対してのみなされるので、他のＲＦＩＤタグ２に悪影響を与えることがなく、かつ、この所定のＲＦＩＤタグ２に対しては確実にデータを書込むことができるという効果を得ることができる。
【００４０】
なお、図６の信号ｄは、従来のＲＦＩＤタグ書込み装置でアンテナから送信されるデータ書込み用の変調ＲＦ信号、図６の信号ｅはこれが復調されたデータ信号に相当するものであり、このような変調ＲＦ信号が特定のＲＦＩＤタグ以外の他のＲＦＩＤタグでも受信されるため、他のＲＦＩＤタグに対して誤書込みなどの悪影響を与えていたが、本実施の形態ではそのような不都合がなく、所定のＲＦＩＤタグ２に対してのみ正確に書込みができる。
【００４１】
次に、図７にＲＦＩＤタグ書込み装置７の接触部１１の他の例の構成図を示して説明する。図７は図５（ｂ）と同様に搬送体１ａの長さ方向に見た断面図である。
【００４２】
この実施例では、ＲＦＩＤタグ２の両方のタグアンテナ部５ａ、５ｂにそれぞれ接触する２個の接触部１１を用い、それらを書込み制御部１３のスイッチング素子２７により、データを含む書込み制御コマンド２２ａ（信号ｂ）に従って接地制御するようにしている。このようにすると、タグアンテナ５からタグＩＣチップ４に供給される受信信号をより確実に遮断することができ、所定のＲＦＩＤタグ２へのデータの書込みを確実に行うことができる。
【００４３】
また、図８にＲＦＩＤタグ書込み装置７の接触部１１のさらに他の例の構成図を示して説明する。図８でも図５（ｂ）と同様に搬送体１ａの長さ方向に見た断面図である。
【００４４】
この実施例では、ＲＦＩＤタグ２の両方のタグアンテナ部５ａ、５ｂにそれぞれ接触する２個の接触部１１を用い、それらを書込み制御部１３のスイッチング素子２７により、データを含む書込み制御コマンド２２ａ（信号ｂ）に従って短絡制御するようにしている。このようにしても、タグアンテナ５からタグＩＣチップ４に供給される受信信号をより確実に遮断することができ、所定のＲＦＩＤタグ２へのデータの書込みを確実に行うことができる。
【００４５】
なお、上記の実施の形態では、ＲＦＩＤタグ２のタグアンテナ５に接触する接触部１１として金属の板バネ製のものを用いたが、その他にも、ＲＦＩＤタグ２の露出部６に対して接触・離反可能なように出没自在に構成した先端部に丸みを有した棒状の接点などの、各種の接点を使用することができる。
【００４６】
また、ＲＦＩＤタグ２の搬送部として、帯状の搬送体１ａ以外にも、シート状の搬送体を用いてもよい。また、ＲＦＩＤタグ２の搬送部として搬送体を用いずに吸引で移送する移送部などの搬送手段を用いてもよい。
【産業上の利用可能性】
【００４７】
以上のように本発明は、所定の書込み位置に順次搬送されてくる隣接配置されたＲＦＩＤタグに無変調の搬送波を発信しつつ、所定の書込み位置に搬送されたＲＦＩＤタグのタグアンテナに露出部を介して接触部を電気的に接触させ、この接触部を介してＲＦＩＤタグにデータの書込みを行うようにしたものである。したがって、複数のＲＦＩＤタグが隣接配置されている場合であっても、他のＲＦＩＤタグに誤書込みをすることなく所定のＲＦＩＤタグにのみ所定のデータを確実に書込むことを可能とするＲＦＩＤタグ書込み装置に有用である。
【図面の簡単な説明】
【００４８】
【図１】本発明の実施の形態におけるＲＦＩＤタグ付きラベルの外観図
【図２】同ＲＦＩＤタグ付きラベルの構成図
【図３】本発明の実施の形態におけるＲＦＩＤタグ書込み装置を説明するための要部構成図
【図４】同ＲＦＩＤタグ書込み装置の回路ブロック図
【図５】同ＲＦＩＤタグ書込み装置の書込み制御部を説明するための要部構成図
【図６】同ＲＦＩＤタグ書込み装置の動作を説明するための波形図
【図７】本発明の実施の形態におけるＲＦＩＤタグ書込み装置の他の例の接触部の構成図
【図８】本発明の実施の形態におけるＲＦＩＤタグ書込み装置のさらに他の例の接触部の構成図
【符号の説明】
【００４９】
１    ＲＦＩＤタグ付きラベル
１ａ    搬送体
１ｂ    切断部
１ｃ    外装部
２    ＲＦＩＤタグ
３    基板
４    タグＩＣチップ
５    タグアンテナ
５ａ，５ｂ    タグアンテナ部
６    露出部
７    ＲＦＩＤタグ書込み装置
８    プラテンローラ
９    ガイドローラ
１０    アンテナ
１１    接触部
１２    リーダライタ部
１３    書込み制御部
１４    印字ヘッド
１５    カッター
１６    キャビネット
１７，２４    ＲＦフロントエンド部
１８    クロック部
１９    電源部
２０，２２    制御部
２１    メモリ部
２２ａ    書込み制御コマンド
２３    信号処理部
２５    アンプ
２６    サーキュレータ
２７    スイッチング素子
３０    アンテナ装置
３１    書込み制御信号
【図１】
2009276877.tif 000003
【図２】
2009276877.tif 000004
【図３】
2009276877.tif 000005
【図４】
2009276877.tif 000006
【図５】
2009276877.tif 000007
【図６】
2009276877.tif 000008
【図７】
2009276877.tif 000009
【図８】
2009276877.tif 000010